(57)【要約】【課題】極めて簡単な構成で軽量で取り扱いが容易であって、コンパクトに収納できる輪投げ玩具を提供する。【解決手段】折り畳み自在な段ボールよりなる基板１１に、投げ輪用ポール部材２０を挿入立設する挿入孔１２が複数設けられる。前記投げ輪用ポール部材２０は空ビン２１よりなり、投げ輪３０が紙管を輪状に切断したものであることがある。また、前記基板１１を折り畳んだ状態で前記挿入孔１２全部が円形に重なり合ったり、あるいは前記基板１１を折り畳んだ状態で前記挿入孔１２全部が半円形に重なり合う。【選択図】図４
0003127165.tif 000002
【実用新案登録請求の範囲】
【請求項１】
折り畳み自在な段ボールよりなる基板に、投げ輪用ポール部材を挿入立設する挿入孔を複数設けたことを特徴とする輪投げ玩具。
【請求項２】
前記投げ輪用ポール部材が空ビンよりなる請求項１に記載の輪投げ玩具。
【請求項３】
前記基板を折り畳んだ状態で前記挿入孔全部が円形に重なり合う請求項１又は２に記載の輪投げ玩具。
【請求項４】
前記基板を折り畳んだ状態で前記挿入孔全部が半円形に重なり合う請求項１又は２に記載の輪投げ玩具。
【請求項５】
投げ輪が紙管を輪状に切断したものからなる請求項１ないし４のいずれか１項に記載の輪投げ玩具。
【考案の詳細な説明】
【技術分野】
【０００１】
この考案は、折り畳み自在な段ボールよりなる基板を有する輪投げ玩具に関する。
【背景技術】
【０００２】
従来、基板に投げ輪用の受け棒が立設され、投げ輪を受け棒に入れるように投げて遊ぶ輪投げ玩具がよく知られている。この輪投げ玩具を構成する基板は、輪投げ玩具が投げ輪を投げて遊ぶものであるため、安定性が良く、かつ壊れにくいように、通常、材質の硬い合成樹脂や重量感のある木材等により形成されていることが多い。
【０００３】
しかしながら、例えば、幼児や子供が扱うような場合には、基板の重量が重いと、持ち運んで設置するのが困難であったり、基板につまずいてけがをするおそれがあった。さらに、輪投げ玩具で遊び終わった後は、そのまま邪魔にならない場所に収納しなければならず、玩具を保管するための場所を確保する必要があった。一方、複数の長方形平板を連結させて構成される基板を有する輪投げ玩具等が提案されているが（例えば、特許文献１参照）、一旦収納のために連結具を外すと、遊ぶときにはまた連結具や取付ねじ等を用いて組み立て直さなければならず、取り扱いが極めて煩雑であった。
【特許文献１】実開平７−３３３７２号公報
【考案の開示】
【考案が解決しようとする課題】
【０００４】
この考案は、前記の点に鑑みなされたものであり、極めて簡単な構成で軽量で取り扱いが容易であって、コンパクトに収納できる輪投げ玩具を提供することを目的とする。
【課題を解決するための手段】
【０００５】
すなわち、請求項１の考案は、折り畳み自在な段ボールよりなる基板に、投げ輪用ポール部材を挿入立設する挿入孔を複数設けたことを特徴とする輪投げ玩具に係る。
【０００６】
また、請求項２の考案は、前記投げ輪用ポール部材が空ビンよりなる請求項１に記載の輪投げ玩具に係る。
【０００７】
さらに、請求項３の考案は、前記基板を折り畳んだ状態で前記挿入孔全部が円形に重なり合う請求項１又は２に記載の輪投げ玩具に係る。
【０００８】
請求項４の考案は、前記基板を折り畳んだ状態で前記挿入孔全部が半円形に重なり合う請求項１又は２に記載の輪投げ玩具に係る。
【０００９】
請求項５の考案は、投げ輪が紙管を輪状に切断したものからなる請求項１ないし４のいずれか１項に記載の輪投げ玩具に係る。
【考案の効果】
【００１０】
請求項１の考案に係る輪投げ玩具によれば、折り畳み自在な段ボールよりなる基板に、投げ輪用ポール部材を挿入立設する挿入孔を複数設けたため、軽量で取り扱いが極めて容易であり、コンパクトに収納することができる。
【００１１】
請求項２の考案によれば、請求項１において、前記投げ輪用ポール部材が空ビンよりなるため、廃材を利用して手軽に楽しむことができる。
【００１２】
請求項３の考案によれば、請求項１又は２において、前記基板を折り畳んだ状態で前記挿入孔全部が円形に重なり合うため、複数の挿入孔を一度に形成させることができる。
【００１３】
請求項４の考案によれば、請求項１又は２において、前記基板を折り畳んだ状態で前記挿入孔全部が半円形に重なり合うため、複数の挿入孔を一度に形成させることができる。
【００１４】
請求項５の考案によれば、請求項１ないし４のいずれかにおいて、投げ輪が紙管を輪状に切断したものからなるため、紙管を有効に利用することができる。
【考案を実施するための最良の形態】
【００１５】
以下添付の図面に従ってこの考案の実施例を説明する。図１はこの考案の一実施例に係る輪投げ玩具の平面図、図２は図１の２−２線で切断した状態の断面図、図３は基板の一実施例に係る平面図、図４は基板を折り畳む状態を示す概略斜視図、図５は基板を折り畳んだ状態を示す平面模式図、図６は基板を折り畳んだ別の状態を示す平面模式図である。
【００１６】
図１に示すように、この考案に係る輪投げ玩具１０は、折り畳み自在な段ボールよりなる基板１１に、投げ輪用ポール部材２０を挿入立設する挿入孔１２を複数設けて構成される。なお、図１において、符号１８は輪投げ玩具の外枠である。
【００１７】
基板１１は、折り畳み自在な段ボールよりなる。段ボールは従来公知のいわゆる片面段ボール、両面段ボール、複両面段ボール等が用いられる。基板１１は、折り畳みやすいように適宜、ハーフカットやフルカット等の加工が施される。図１中において、符号１５は連結部、１４は基板の表面である。
【００１８】
挿入孔１２は、投げ輪用ポール部材２０を挿入立設するためのものである。基板１１に挿入孔１２は所望の数だけ設けられ、実施例では１つの基板１１に挿入孔１２が３つ設けられ、外枠１８内に基板１１が３つ並置されて構成されている。挿入孔１２の大きさは限定されず、投げ輪用ポール２０を挿入立設しやすいように適宜選択される。
【００１９】
投げ輪用ポール部材２０は、断面形状が円形、楕円、矩形等どのような形状でも良く高さも特に限られないが、投てきされた投げ輪３０がスムーズに当該ポール部材２０に入るように形成される。また、前記ポール部材２０の材質は、木材、合成樹脂、段ボール紙等どのようなもので構成されてもよく、請求項２に規定する考案のように、廃材を効果的に利用することができる空ビン２１により構成されることが好ましい。空ビン２１におけるビンとして、アルミニウム、ステンレス、ガラス等よりなる缶やボトル容器などが挙げられる。特に、図１及び図２の実施例のように、空きビン２１がポリエチレンテレフタレート（ＰＥＴ）よりなるボトル容器の空ビン２１であれば、軽量で丈夫であるため取り扱いが容易である。このような空きビン２１の安定性を高めるため、容器内部に水を入れ蓋をして挿入孔１２に挿入立設されたり、実施例のように、空きビン２１容器の蓋が下側になるように逆にして立設してもよい。
【００２０】
また、図２では外枠１８に形成された支持部１９により基板１１を支えているが、このような外枠を設けなくても基板１１を複数枚重ねたり、端の基板を折り畳んだりして、空きビン２１を挿入孔に挿入立設することで、輪投げ玩具１０の設置面からの基板１１の高さを調整して基板を支持することも可能である。
【００２１】
投げ輪３０は円形の輪状であり、合成樹脂材の成形品や合成繊維、天然繊維等よりなる組紐等から構成される。また、投げ輪３０は投げ輪用ポール部材２０に入りやすいように、その内径が投げ輪用ポール部材２０の断面形状よりも大きく形成される。また、投げ輪３０は請求項５に規定する考案のように、リサイクル資源を有効利用するために、紙管３１を輪状に切断したものとして形成されるのが好ましい。紙管３１は段ボール、新聞、雑誌などの古紙等を原料とした従来公知のものが使用され、例えば、投げ輪用ポール部材２０をポリエチレンテレフタレートからなる空きビン２１で構成される場合、紙管３１の外径は約１１０ｍｍ、内径は約８０ｍｍ、厚みは３ｍｍ程度に構成される。
【００２２】
次に、基板１１の折り畳み方の一例について図３ないし図６を用いて説明する。段ボールよりなる基板１１は折り畳みやすいように、図３及び図４のように折れ目Ｌ１，Ｌ２，Ｌ３が形成される。折れ目Ｌ１は、基板１１の表面１４に切り込み線が出ない段ボールの片面だけに切り込みを入れるハーフカットが形成されて谷折りされる。また、折れ目Ｌ２，Ｌ３は図示するように、連結部１５の強度が確保できるように、段ボール紙の表裏面を切り抜くフルカットが形成されて山折りされる。なお、折れ目Ｌ２，Ｌ３は基板１１の折り畳み方によっては、谷折りすることもできる。
【００２３】
そして、図５に示し、請求項４の考案として規定するように、基板１１を折り畳んだ状態で挿入孔１２が半円形に重なり合うことが好ましい。また、基板１１は図３の実施例において折れ目Ｌ１を形成せずに、折れ目Ｌ２，Ｌ３で山折り、折れ目Ｌ４，Ｌ５で谷折りして、図６に示し、請求項３の考案として規定するように、基板１１を折り畳んだ状態で挿入孔１２全部が円形に重なり合うようにしてもよい。挿入孔１２が重なり合うと、加工時に複数の挿入孔１２を一度に形成させることができる。また、基板１１をコンパクトに折り畳むことができるので、設置、収納、移動等の取り扱いが非常に容易である。
【図面の簡単な説明】
【００２４】
【図１】この考案の一実施例に係る輪投げ玩具の平面図である。
【図２】図１の２−２線で切断した状態の断面図である。
【図３】基板の一実施例に係る平面図である。
【図４】基板を折り畳む状態を示す概略斜視図である。
【図５】基板を折り畳んだ状態を示す平面模式図である。
【図６】基板を折り畳んだ別の状態を示す平面模式図である。
【符号の説明】
【００２５】
１０  投げ輪玩具
１１  基板
１２  挿入孔
２０  投げ輪用のポール部材
２１  空きビン
３０  投げ輪
【図１】
0003127165.tif 000003
【図２】
0003127165.tif 000004
【図３】
0003127165.tif 000005
【図４】
0003127165.tif 000006
【図５】
0003127165.tif 000007
【図６】
0003127165.tif 000008